(57)【要約】【課題】所望の情報を探す手間を省くとともに、表示された情報を容易に閲覧する情報の一覧性が高い携帯情報端末を提供する。【解決手段】表示制御手段は、属性選択判断手段により属性選択の開始と判断されると、属性選択判断手段により属性選択の終了と判断されるまで、複数のコンテンツ情報のうち接触が検知されている属性情報に対応する属性を有する各コンテンツ情報の一部を一覧にした縮小一覧を表示手段に表示させるとともに、属性選択判断手段により属性選択の終了と判断されると、直前に接触が検知された属性情報に対応する属性を有するコンテンツ情報の縮小一覧に、縮小一覧に含まれない各コンテンツ情報の他の一部を付加した拡大一覧を表示手段に表示させる。【選択図】図３
2014149650.tif 000002
【特許請求の範囲】
【請求項１】
複数のコンテンツ情報と前記コンテンツ情報の属性を示す属性情報とを一覧表示する表示手段と、
前記表示手段の所定の領域への物体の接触及び非接触を検知する検知手段と、
前記検知手段により検知された前記表示手段の所定の領域への物体の接触または非接触に基づいて、前記表示手段に一覧表示される複数のコンテンツ情報が有すべき属性の選択の開始と終了とを判断する属性選択判断手段と、
前記属性選択判断手段による属性選択の開始または終了の判断に基づいて、前記表示手段における表示を制御する表示制御手段とを備え、
前記属性選択判断手段は、
前記表示手段において前記属性情報一覧が表示される属性情報一覧表示領域への物体の接触が検知されると、属性選択の開始と判断するとともに、
前記属性情報一覧表示領域への物体の非接触が検知され、または、前記属性情報一覧表示領域外の所定領域への物体の接触が検知されると、属性選択の終了と判断し、
前記表示制御手段は、
前記属性選択判断手段により属性選択の開始と判断されると、前記属性選択判断手段により属性選択の終了と判断されるまで、前記複数のコンテンツ情報のうち接触が検知されている属性情報に対応する属性を有する各コンテンツ情報の一部を一覧にした縮小一覧を前記表示手段に表示させるとともに、
前記属性選択判断手段により属性選択の終了と判断されると、直前に接触が検知された属性情報に対応する属性を有するコンテンツ情報の前記縮小一覧に、前記縮小一覧に含まれない各コンテンツ情報の他の一部を付加した拡大一覧を前記表示手段に表示させることを特徴とする携帯情報端末。
【請求項２】
前記表示制御手段は、前記属性選択判断手段により属性選択の終了と判断されると、前記属性情報一覧の表示領域を小さくすることを特徴とする請求項１記載の携帯情報端末。
【請求項３】
前記表示制御手段は、前記属性選択判断手段により属性選択の終了と判断されたとき、前記属性情報一覧表示領域外の所定領域に前記縮小一覧を表示させることを特徴とする請求項１又は２記載の携帯情報端末。
【請求項４】
前記表示制御手段は、前記属性選択判断手段により前記縮小一覧への物体の接触が検知され、属性選択の終了と判断された後、さらに前記縮小一覧への物体の非接触が検知されたとき、直前に接触が検知されたコンテンツ情報について、前記拡大一覧で表示された情報に含まれない情報を付加した詳細表示を行うことを特徴とする請求項１から３の何れか１項に記載の携帯情報端末。
【請求項５】
前記表示制御手段は、前記拡大一覧が表示されているとき、ユーザによる所定の操作によって前記属性情報一覧の表示が指示されると、前記拡大一覧から前記縮小一覧に変更するとともに、前記属性情報一覧を前記表示手段に表示させることを特徴とする請求項１から４の何れか１項に記載の携帯情報端末。
【請求項６】
前記表示制御手段は、前記拡大一覧の上に、前記拡大一覧の一部が露出するように前記属性情報一覧を表示させることにより、前記拡大一覧から前記縮小一覧に変更することを特徴とする請求項１から５の何れか１項に記載の携帯情報端末。
【請求項７】
前記表示制御手段は、前記属性情報を表示させる属性アイコンを前記表示手段の表示面の右上に表示させることを特徴とする請求項１から６の何れか１項に記載の携帯情報端末。
【請求項８】
前記表示制御手段は、前記属性情報を表示させる属性アイコンを前記表示手段の表示面の左上に表示させることを特徴とする請求項１から７の何れか１項に記載の携帯情報端末。
【請求項９】
前記表示制御手段は、前記属性情報一覧をユーザの興味順に前記表示手段に表示させることを特徴とする請求項１から８の何れか１項に記載の携帯情報端末。
【請求項１０】
複数のコンテンツ情報と前記コンテンツ情報の属性を示す属性情報とを一覧表示する表示手段と、前記表示手段の所定の領域への物体の接触及び非接触を検知する検知手段とを備える携帯情報端末の制御方法であって、
前記検知手段により検知された前記表示手段の所定の領域への物体の接触及び非接触に基づいて、前記表示手段に一覧表示される複数のコンテンツ情報が有すべき属性の選択の開始と終了とを判断する工程と、
前記判断する工程における属性選択の開始または終了の判断に基づいて、前記表示手段における表示を制御する工程とを備え、
前記判断する工程において、
前記表示手段において前記属性情報一覧が表示される属性情報一覧表示領域への物体の接触が検知されると、属性選択の開始と判断するとともに、
前記属性情報一覧表示領域への物体の非接触が検知され、または、前記属性情報一覧表示領域外の所定領域への物体の接触が検知されると、属性選択の終了と判断し、
前記表示を制御する工程において、
前記判断する工程において属性選択の開始と判断されると、前記判断する工程において属性選択の終了と判断されるまで、前記複数のコンテンツ情報のうち接触が検知されている属性情報に対応する属性を有する各コンテンツ情報の一部を一覧にした縮小一覧を前記表示手段に表示させるとともに、
前記判断する工程において属性選択の終了と判断されると、直前に接触が検知された属性情報に対応する属性を有するコンテンツ情報の前記縮小一覧に、前記縮小一覧に含まれない各コンテンツ情報の他の一部を付加した拡大一覧を前記表示手段に表示させることを特徴とする制御方法。
【請求項１１】
複数のコンテンツ情報と前記コンテンツ情報の属性を示す属性情報とを一覧表示する表示手段と、前記表示手段の所定の領域への物体の接触及び非接触を検知する検知手段とを備える携帯情報端末に実行させるプログラムであって、
前記検知手段により検知された前記表示手段の所定の領域への物体の接触及び非接触に基づいて、前記表示手段に一覧表示される複数のコンテンツ情報が有すべき属性の選択の開始と終了とを判断する処理と、
前記判断する処理による属性選択の開始または終了の判断に基づいて、前記表示手段における表示を制御する処理とを含み、
前記判断する処理は、
前記表示手段において前記属性情報一覧が表示される属性情報一覧表示領域への物体の接触が検知されると、属性選択の開始と判断するとともに、
前記属性情報一覧表示領域への物体の非接触が検知され、または、前記属性情報一覧表示領域外の所定領域への物体の接触が検知されると、属性選択の終了と判断し、
前記表示を制御する処理は、
前記判断する処理により属性選択の開始と判断されると、前記判断する処理により属性選択の終了と判断されるまで、前記複数のコンテンツ情報のうち接触が検知されている属性情報に対応する属性を有する各コンテンツ情報の一部を一覧にした縮小一覧を前記表示手段に表示させるとともに、
前記判断する処理により属性選択の終了と判断されると、直前に接触が検知された属性情報に対応する属性を有するコンテンツ情報の前記縮小一覧に、前記縮小一覧に含まれない各コンテンツ情報の他の一部を付加した拡大一覧を前記表示手段に表示させることを特徴とするプログラム。
【発明の詳細な説明】
【技術分野】
【０００１】
本発明は、携帯情報端末、制御方法、及び、プログラムに関する。
【背景技術】
【０００２】
近年、スマートフォン等に代表される携帯情報端末においては、ユーザの指接触によるタッチ操作を受け付けるタッチパネルを備えたものが増えてきている。そして、タッチパネルに重畳された液晶ディスプレイに表示されたアイコン等のグラフィカル・ユーザ・インタフェース（Graphical User Interface：以下、ＧＵＩとする）をタッチ操作することにより、ユーザは携帯情報端末に備わる機能を直感的に実行することができる。
【０００３】
上記に関し、特許文献１には、多種多様の複数のアプリケーションプログラムにより扱われる複数のコンテンツデータの更新情報を、煩雑な操作を要せずにユーザが簡単且つ容易に確認できることを目的として、それぞれ異なる種類のコンテンツデータの更新情報が配された各更新情報表示カードが、各コンテンツデータの更新の時系列順に配列されてディスプレイ画面上に表示される技術が開示されている。
【先行技術文献】
【特許文献】
【０００４】
【特許文献１】特開２０１１−２２８１１号公報
【発明の概要】
【発明が解決しようとする課題】
【０００５】
特許文献１に係る技術によれば、複数のコンテンツデータの更新情報を煩雑な操作を要せずにユーザが簡単且つ容易に確認することができる。しかし、特許文献１に係る技術においては、各コンテンツデータを時系列順に、あるいは、同種属性のコンテンツデータをまとめて表示することはできるが、ユーザはタッチパネルを操作して所望のコンテンツデータを探すことになり、手間がかかる。このことは、表示されるコンテンツデータ（情報）が多くなればなるほど顕著となる。
【０００６】
また、そもそもスマートフォン等の携帯情報端末のディスプレイは、パーソナルコンピュータ（以下、ＰＣとする）のような大画面のディスプレイと比較して小さく、画面表示できる情報量に限りがある。仮にそのような画面表示できる情報量に限界がある小さなディスプレイで、特許文献１のように多くのコンテンツデータをまとめて表示することになれば、所望の情報を探す手間がかかることになってしまう。
【０００７】
また、特許文献１では、プレビュー状態のコンテンツデータとしての更新情報表示カードを閲覧することはできるが、アイドル状態のコンテンツデータとしての更新情報表示カードは画面奥行き方向に傾けられるなど表示形態が変更されるため、アイドル状態のコンテンツデータをそのままの状態でまともに閲覧することはできず情報の一覧性が低い。
【０００８】
本発明は、このような実情に鑑みてなされたものであって、所望の情報を探す手間を省くとともに、表示された情報を容易に閲覧する情報の一覧性が高い携帯情報端末を提供することを目的とする。
【課題を解決するための手段】
【０００９】
上記の課題を解決するため、本発明の携帯情報端末は、複数のコンテンツ情報とコンテンツ情報の属性を示す属性情報とを一覧表示する表示手段と、表示手段の所定の領域への物体の接触及び非接触を検知する検知手段と、検知手段により検知された表示手段の所定の領域への物体の接触または非接触に基づいて、表示手段に一覧表示される複数のコンテンツ情報が有すべき属性の選択の開始と終了とを判断する属性選択判断手段と、属性選択判断手段による属性選択の開始または終了の判断に基づいて、表示手段における表示を制御する表示制御手段とを備え、属性選択判断手段は、表示手段において属性情報一覧が表示される属性情報一覧表示領域への物体の接触が検知されると、属性選択の開始と判断するとともに、属性情報一覧表示領域への物体の非接触が検知され、または、属性情報一覧表示領域外の所定領域への物体の接触が検知されると、属性選択の終了と判断し、表示制御手段は、属性選択判断手段により属性選択の開始と判断されると、属性選択判断手段により属性選択の終了と判断されるまで、複数のコンテンツ情報のうち接触が検知されている属性情報に対応する属性を有する各コンテンツ情報の一部を一覧にした縮小一覧を表示手段に表示させるとともに、属性選択判断手段により属性選択の終了と判断されると、直前に接触が検知された属性情報に対応する属性を有するコンテンツ情報の縮小一覧に、縮小一覧に含まれない各コンテンツ情報の他の一部を付加した拡大一覧を表示手段に表示させることを特徴とする。
【００１０】
また、上記の課題を解決するため、本発明の制御方法は、複数のコンテンツ情報と前記コンテンツ情報の属性を示す属性情報とを一覧表示する表示手段と、表示手段の所定の領域への物体の接触及び非接触を検知する検知手段とを備える携帯情報端末の制御方法であって、検知手段により検知された表示手段の所定の領域への物体の接触及び非接触に基づいて、表示手段に表示される複数のコンテンツ情報が有すべき属性の選択の開始と終了とを判断する工程と、判断する工程における属性選択の開始または終了の判断に基づいて、表示手段における表示を制御する工程とを備え、判断する工程において、表示手段において属性情報一覧が表示される属性情報一覧表示領域への物体の接触が検知されると、属性選択の開始と判断するとともに、属性情報一覧表示領域への物体の非接触が検知され、または、属性情報一覧表示領域外の所定領域への物体の接触が検知されると、属性選択の終了と判断し、表示を制御する工程において、判断する工程において属性選択の開始と判断されると、判断する工程において属性選択の終了と判断されるまで、複数のコンテンツ情報のうち接触が検知されている属性情報に対応する属性を有する各コンテンツ情報の一部を一覧にした縮小一覧を表示手段に表示させるとともに、判断する工程において属性選択の終了と判断されると、直前に接触が検知された属性情報に対応する属性を有するコンテンツ情報の縮小一覧に、縮小一覧に含まれない各コンテンツ情報の他の一部を付加した拡大一覧を表示手段に表示させることを特徴とする。
【００１１】
また、上記の課題を解決するため、本発明のプログラムは、複数のコンテンツ情報とコンテンツ情報の属性を示す属性情報とを一覧表示する表示手段と、表示手段の所定の領域への物体の接触及び非接触を検知する検知手段とを備える携帯情報端末に実行させるプログラムであって、検知手段により検知された表示手段の所定の領域への物体の接触及び非接触に基づいて、表示手段に表示される複数のコンテンツ情報が有すべき属性の選択の開始と終了とを判断する処理と、判断する処理による属性選択の開始または終了の判断に基づいて、表示手段における表示を制御する処理とを含み、判断する処理は、表示手段において属性情報一覧が表示される属性情報一覧表示領域への物体の接触が検知されると、属性選択の開始と判断するとともに、属性情報一覧表示領域への物体の非接触が検知され、または、属性情報一覧表示領域外の所定領域への物体の接触が検知されると、属性選択の終了と判断し、表示を制御する処理は、判断する処理により属性選択の開始と判断されると、判断する処理により属性選択の終了と判断されるまで、複数のコンテンツ情報のうち接触が検知されている属性情報に対応する属性を有する各コンテンツ情報の一部を一覧にした縮小一覧を表示手段に表示させるとともに、判断する処理により属性選択の終了と判断されると、直前に接触が検知された属性情報に対応する属性を有するコンテンツ情報の縮小一覧に、縮小一覧に含まれない各コンテンツ情報の他の一部を付加した拡大一覧を表示手段に表示させることを特徴とする。
【発明の効果】
【００１２】
本発明によれば、所望の情報を探す際に、属性に対応する複数のアイコンに指を滑らせて一覧表示の一部の表示を切り替えながら閲覧することができ、所望する情報を一つの操作ですることできるため、操作の手間を省くことができる。また、一覧表示自体は画面全体をつかうことができ、表示された情報を容易に閲覧する情報の一覧性が高い携帯情報端末を提供することができる。
【図面の簡単な説明】
【００１３】
【図１】本発明の実施形態の携帯情報端末の機能ブロック図である。
【図２】本発明の実施形態の携帯情報端末における表示画面例である。
【図３】本発明の実施形態の携帯情報端末における表示画面の画面遷移例である。
【図４】本発明の実施形態の携帯情報端末における表示画面の画面遷移例である。
【図５】本発明の実施形態の携帯情報端末における他の表示画面例である。
【図６】本発明の実施形態の携帯情報端末における表示画面の画面遷移例である。
【図７】本発明の実施形態の携帯情報端末における表示画面の画面遷移例である。
【図８】本発明の実施形態の携帯情報端末における制御処理手順を示すフローチャートである。
【発明を実施するための形態】
【００１４】
次に、本発明を実施するための形態について図面を参照して詳細に説明する。なお、各図中、同一又は相当する部分には同一の符号を付しており、その重複説明は適宜に簡略化乃至省略する。本発明は、携帯電話、スマートフォン、ＰＤＡ（Personal Digital(Data) Assistants）、タブレットＰＣ等の携帯情報端末に適用される。なお、以下では、ユーザのタッチ操作を受け付けるタッチパネルを備えたスマートフォンを例にとり説明するが、本発明がこれに限定されないことは言うまでもない。
【００１５】
本発明の概略を説明すると、複数のコンテンツ情報とコンテンツ情報の属性を示す属性情報とを一覧表示する表示手段と、表示手段の所定の領域への物体の接触及び非接触を検知する検知手段と、検知手段により検知された表示手段の所定の領域への物体の接触または非接触に基づいて、表示手段に一覧表示される複数のコンテンツ情報が有すべき属性の選択の開始と終了とを判断する属性選択判断手段と、属性選択判断手段による属性選択の開始または終了の判断に基づいて、表示手段における表示を制御する表示制御手段とを備え、属性選択判断手段は、表示手段において属性情報一覧が表示される属性情報一覧表示領域への物体の接触が検知されると、属性選択の開始と判断するとともに、属性情報一覧表示領域への物体の非接触が検知され、または、属性情報一覧表示領域外の所定領域への物体の接触が検知されると、属性選択の終了と判断し、表示制御手段は、属性選択判断手段により属性選択の開始と判断されると、属性選択判断手段により属性選択の終了と判断されるまで、複数のコンテンツ情報のうち接触が検知されている属性情報に対応する属性を有する各コンテンツ情報の一部を一覧にした縮小一覧を表示手段に表示させるとともに、属性選択判断手段により属性選択の終了と判断されると、直前に接触が検知された属性情報に対応する属性を有するコンテンツ情報の縮小一覧に、縮小一覧に含まれない各コンテンツ情報の他の一部を付加した拡大一覧を表示手段に表示させることにより、所望の情報を探す際に、属性に対応する複数のアイコンに指を滑らせて一覧表示の一部の表示を切り替えながら閲覧することができ、所望する情報を一つの操作ですることできるため、操作の手間を省くことができる。また、一覧表示自体は画面全体をつかうことができ、表示された情報を容易に閲覧する情報の一覧性が高い携帯情報端末を提供することが可能となるのである。
【００１６】
本発明の実施形態の携帯情報端末１の概略構成について、図１を用いて説明する。本実施形態の携帯情報端末１０は、検知手段としての接触検知部１０と、制御部２０と、記憶部５０と、表示部６０とで構成される。また、制御部２０は、属性選択判断部３０と、表示制御部４０とで構成される。
【００１７】
接触検知部１０は、ユーザのタッチ操作による指やタッチペンその他の物体の移動履歴、接触圧力及び接触面積を検知する所謂タッチパネルである。接触検知部１０としての透明なタッチパネルは表示部６０に重ねて構成されている。なお、タッチ操作には、画面上のアイコン等を指先で軽くつつく動作である『タップ』、画面に指をつけたまま、アイコンや画像などを上下左右にずらす動作である『ドラッグ』又は『スワイプ』、指の腹で画面上をはじくような動作である『フリック』、２本の指で画面を押さえ、その指の間隔を広げる動作である『ピンチアウト』、２本の指で画面を押さえ、その指の間隔を狭めてものを挟むような動作である『ピンチイン』が代表的な操作として挙げられる。
【００１８】
属性選択判断部３０は、接触検知部１０で得られた検知データから表示部６０に一覧表示される複数のコンテンツ情報が有すべき属性の選択の開始と終了とを判断する。表示制御部４０は、属性選択判断部３０による属性選択の開始または終了の判断に基づいて、表示部６０における表示を制御する。属性選択判断部３０は、表示部６０において属性情報一覧が表示される属性情報一覧表示領域へのユーザの指等の接触が検知されると、属性選択の開始と判断する。一方、属性選択判断部３０は、属性情報一覧表示領域へのユーザの指等の非接触が検知され、または、属性情報一覧表示領域外の所定領域へのユーザの指等の接触が検知されると、属性選択の終了と判断する。
【００１９】
表示制御部４０は、属性選択判断部３０により属性選択の開始と判断されると、属性選択判断部３０により属性選択の終了と判断されるまで、複数のコンテンツ情報のうち接触が検知されている属性情報に対応する属性を有する各コンテンツ情報の一部を一覧にした縮小一覧を表示部６０に表示させる。一方、表示制御部４０は、属性選択判断部３０により属性選択の終了と判断されると、直前に接触が検知された属性情報に対応する属性を有するコンテンツ情報の縮小一覧に、縮小一覧に含まれない各コンテンツ情報の他の一部を付加した拡大一覧を表示部６０に表示させる。なお、本実施形態において『縮小一覧』とは、例えば複数のコンテンツ情報が映像コンテンツである場合に、その映像を縮小して簡易に表示させる所謂サムネイル表示の一覧を言う。また、本実施形態において『拡大一覧』とは、先の例でいうところの映像コンテンツを文書で簡易に紹介する要約などのことを言う。
【００２０】
また、表示制御部４０は、属性選択判断部３０により属性選択の終了と判断されると、属性情報一覧の表示領域を小さくする。『属性情報一覧の表示領域を小さくする』とは、文字通り属性情報一覧の表示領域を小さくすることに留まらず、属性情報一覧を非表示にすることも含まれる。
【００２１】
また、表示制御部４０は、属性選択判断部３０により属性選択の終了と判断されたとき、属性情報一覧表示領域外の所定領域に縮小一覧を表示させる。
【００２２】
また、表示制御部４０は、属性選択判断部３０により縮小一覧へのユーザの指等の接触が検知され、属性選択の終了と判断された後、さらに縮小一覧へのユーザの指等の非接触が検知されたとき、直前に接触が検知されたコンテンツ情報について、拡大一覧で表示された情報に含まれない情報を付加した詳細表示を行う。本実施形態において『詳細表示』とは、例えば拡大一覧では見られなかったコンテンツ情報の詳細を実際に閲覧する場合の詳細表示のことを言う。
【００２３】
さらに、表示制御部４０は、拡大一覧が表示されているとき、ユーザによる所定の操作によって属性情報一覧の表示が指示されると、拡大一覧から縮小一覧に変更するとともに、属性情報一覧を表示手段に表示させる。つまり、本実施形態においては、後述するようにユーザによるタッチパネルからの所定のタッチ操作により属性情報一覧を表示させているが、本発明はこれに限定されず、例えば、携帯電話のテンキー等の入力手段やジェスチャー入力により属性情報一覧を表示させる操作を受け付ける構成であってもよい。
【００２４】
さらに、表示制御部４０は、拡大一覧の上に、拡大一覧の一部が露出するように属性情報一覧を表示させることにより、拡大一覧から縮小一覧に変更する。これについては後述する。
【００２５】
記憶部５０は、各種のコンテンツ情報を記憶する、例えばハードディスク等の大容量記憶媒体である。各種のコンテンツ情報は、不図示のネットワーク接続処理部を介してインターネット等から取得する。また、各種のコンテンツ情報は、インターネットを介して取得したものに限らず、ユーザが携帯情報端末に付属の撮影手段により撮影した画像データとして取得するものであっても、あるいはＳＤカード等の外部記録メディアに記録された各種データとして取得するものであってもよい。
【００２６】
インターネット等から取得する配信用情報として取得対象とするフィードは、例えばＲＳＳ（RDF site summary）フィードなど、ＸＭＬ（Extensible Markup Language）、Ａｔｏｍ、ＲＤＦ（Resource Description Framework）等、アグリゲータで解釈可能な各種情報を含んでよい。また、必ずしもＯＳ（Operating System）がファイル形式として認識するものである必要はなく、例えばバイナリ形式のデータを含んだものであってもよい。
【００２７】
また、各種ＳＮＳ（Social Networking Service）を再生対象のコンテンツ情報とする場合、携帯情報端末１は、例えばＡＰＩ（Application Programming Interface）を用いることで実現できる。この場合、予め設定された人についてのアクティビティや投稿記事など、各種更新情報をＡＰＩから取得する。
【００２８】
また、ネットワーク接続処理部がＴＶ受信用アンテナおよびＴＶチューナを備えた構成である場合、携帯情報端末１は、ＴＶ番組表を受信する。このことにより、携帯情報端末１は、視聴可能なＴＶ番組についての各種情報を、再生対象となりうるコンテンツ情報の内容を示す所定種類の配信用情報として取得する。
【００２９】
また、再生対象のコンテンツ情報が、例えば地域のＷｅｂちらしなど、特定の要約された種類の配信用情報が存在しない情報である場合、携帯情報端末１は、その再生対象のコンテンツ情報そのものをコンテンツサーバ等から取得する。
【００３０】
このように、本実施形態の携帯情報端末１で再生対象としうるコンテンツ情報は、携帯情報端末１など携帯情報端末の構成に応じて、再生可能な任意の種類のコンテンツ情報を含んでよい。
【００３１】
表示部６０は、複数のコンテンツ情報を表示する、例えば携帯情報端末に備わるディスプレイである。ディスプレイとしては、例えば液晶であっても電子ペーパーであってもよい。
【００３２】
次に、本実施形態の携帯情報端末１における、表示画面例について図２を参照して説明する。図２は、本発明の実施形態における携帯情報端末１の動作を説明する上で、基本となる表示画面を説明する図である。図２（ａ）を参照すると、本発明の実施形態における携帯情報端末１においては、起動すると表示部６０としてのディスプレイ１００に起動時における初期画面が表示される。この初期画面の略中央には、例えば、現在日時を示す日時表示１０２が表示される。また、初期画面の下部には例えば、各種コンテンツ情報を、ネットワークを介して取得するための接続アイコンとして、ＴＶ視聴アイコン１０３、メール送受信アイコン１０４、インターネット接続アイコン１０５が表示されている。なお、矢印１０１は、例えばユーザの指がタッチされる位置を便宜的に示したものであり、ディスプレイ１００への表示の有無を問わない。
【００３３】
ユーザが、インターネット接続アイコン１０５を上述の『タップ』操作により選択すると、図２（ｂ）に示すように、ディスプレイ１００にインターネット等から取得した複数のコンテンツ情報一覧がサムネイル表示されるコンテンツ一覧表示画面に遷移する。例えば、コンテンツ表示画面の上端には、左から順に、検索アイコン１１１、クリップアイコン１１２、設定アイコン１１３、カテゴリアイコン１１４が表示されている。本実施形態のコンテンツ一覧表示が上述の拡大表示に相当する。
【００３４】
また、例えば、コンテンツ一覧表示画面の略３／４を占める下方には、各種コンテンツ情報を特定する画像や文書情報が横長帯状の矩形枠の中にサムネイル表示される。ここでは、例えば４つのコンテンツ情報が上から下へ一覧表示されている。また、コンテンツ情報は、例えば最新の情報から時間順に上から下へ表示されるものであっても、ユーザの興味の高いコンテンツ情報から興味順に上から下へ表示されるものであっても、これらを組み合わせた一覧表示の何れであってもよい。なお、携帯情報端末の画面サイズの制約に鑑みて、予めユーザの興味度を判断して、あるいはユーザが自ら興味度を設定する等して、その興味度に応じて表示するコンテンツ情報を絞り込む構成としてもよい。なお、一覧表示させるコンテンツ情報は、ユーザがコンテンツ情報を把握できる大きさであれば本実施形態のように４つに限らず、４つ以上であっても４つ以下であってもよい。
【００３５】
例えば、一番上段には、自動車を紹介するコンテンツ情報１１５がサムネイル表示されている。コンテンツ情報１１５には、自動車の画像１１５ａと紹介記事などの文書情報１１５ｂが含まれている。また、次段には、サッカーの試合状況を紹介するコンテンツ情報１１６がサムネイル表示されている。コンテンツ情報１１６には、サッカーの試合状況の画像１１６ａと文書情報１１６ｂが含まれている。また、さらに次段には、食べ物の話題に関するコンテンツ情報１１７が表示されている。コンテンツ情報１１７には、ピザの画像１１７ａと紹介記事などの文書情報１１７ｂが含まれている。さらに、一番下段には、電子機器を紹介するコンテンツ情報１１８がサムネイル表示されている。コンテンツ情報１１８には、電子機器の画像１１８ａと紹介記事１１８ｂが含まれている。
【００３６】
次に、ユーザの『タップ』操作によりカテゴリアイコン１１４が選択された場合に遷移するカテゴリ一覧表示画面について、図２（ｃ）を参照して説明する。上述したコンテンツ一覧表示画面において、ユーザが『タップ』操作によりカテゴリアイコン１１４を選択すると、例えば、カテゴリアイコン１１４は画面下（図の奥方向）へ押し込まれたようなグラフィックで表示される。そして、各コンテンツ情報における文書情報に重畳するように、コンテンツ表示画面では表示されていなかった複数のカテゴリ一覧（属性情報一覧）が表示される。なお、ここでは、コンテンツ情報を特定する画像については表示されたままとする。本実施形態において、このコンテンツ情報を特定する画像を上述した『縮小画像』とする。また、ここでは、カテゴリ一覧表示がカテゴリ名を含むカテゴリ枠を横長に表示した態様としているが、これに限らず、例えば、カテゴリを図形等で示すアイコンとして、カテゴリアイコン１１４と略同幅に表示する態様とすれば、横長のカテゴリ枠では表示できなかった簡易な文書情報を表示することができる。
【００３７】
コンテンツ情報としては、例えば図のように、カテゴリ１２１として『サッカー』、カテゴリ１２２として『ファッション』、カテゴリ１２３として『テクノロジー』、カテゴリ１２４として『国内ニュース』、カテゴリ１２５として『経済動向』、カテゴリ１２６として『モータースポーツ』、カテゴリ１２７として『映画』、カテゴリ１２８として『音楽』が、それぞれ上段から下段にかけて横長の帯状短冊表記で表示されている。ここでは、例えば興味度の最も高いカテゴリ（ここではカテゴリ１２１）が一番濃色で表記されている。そして、表示画面の上から下にかけて、興味度が高いカテゴリから興味度が低いカテゴリへ順に一覧表示されている。
【００３８】
次に、ユーザの『タップ』などの操作により各コンテンツ情報が選択された場合に遷移するコンテンツ表示画面について、図２（ｄ）を参照して説明する。例えば、上述したコンテンツ一覧表示画面において、ユーザが『タップ』操作によりコンテンツ１１６を選択すると、サッカーの試合状況を紹介するコンテンツ情報１３２が拡大されてディスプレイ１００の中央付近で略２／３を占めるように表示される。コンテンツ情報１３２の上半分には、サッカーの試合状況の画像１３２ａが表示され、コンテンツ情報１３２の下半分には、文書情報１３２ｂが表示されている。
【００３９】
なお、コンテンツ表示画面の上端には、上述したクリップアイコン１１２とカテゴリアイコン１１４の他に、新たにリターンアイコン１３１が表示される。ユーザが『タップ』などの操作によりリターンアイコン１３１を選択することにより、コンテンツ一覧表示画面に戻ることができる。なお、クリップアイコン１１２は、例えばユーザがもう一度見たいコンテンツ情報に対してチェックする付箋のような機能を働かせるアイコンである。
【００４０】
また、コンテンツ表示画面の下端には、新たに、『発信』アイコン１３３、『行きたい』アイコン１３４、『知りたい』アイコン１３５、『見たい』アイコン１３６、『買いたい』アイコン１３７が、左から右へ横並びで表示されている。
【００４１】
例えば、ユーザの『タップ』操作などにより、『発信』アイコン１３３を選択すると、コンテンツ情報１３２を添付したメール作成画面に遷移することができる。また、『行きたい』アイコン１３４を選択することにより、このコンテンツ情報１３２に関連する場所、例えばここでは試合開催地や開催されたサッカースタジアムまでのルートを検索するｗｅｂサイトを表示することができる。また、『知りたい』アイコン１３５を選択することにより、コンテンツ情報１３２に関連する事項、例えば選手についての情報を検索するｗｅｂ検索サイトを表示することができる。
【００４２】
さらに、『見たい』アイコン１３６を選択することにより、コンテンツ情報１３２に関連するサッカー番組を視聴するための動画サイトを表示することができる。さらに、『買いたい』アイコン１３７を選択することにより、コンテンツ情報１３２に関連する商品、例えばサッカー選手が身に着けるユニフォームのネット販売サービスを提供するｗｅｂショッピングサイトを表示することができる。なお、表示されるｗｅｂサイトは、コンテンツ情報に重畳して表示させてもよく、また、コンテンツ情報から新たに遷移して表示されるものであってもよい。
【００４３】
次に、上述したカテゴリ一覧表示画面に関して、ユーザのタッチ操作による表示画面の遷移の一態様について、図３を参照して説明する。図３（ａ）は、カテゴリ一覧表示画面へ遷移する状態を表している。ここでは、ユーザによるカテゴリアイコン１１４への『タップ』操作により、カテゴリ一覧表示がディスプレイ１００の右側から黒矢印方向（図示上左側）へスクロールしながら出現する。なお、カテゴリ表示一覧は、スクロールに限らず、フェードインによって出現させるものであっても、その他の公知の手法によって出現させるものであってもよい。なお、カテゴリ一覧表示がスクロールにより出現中、コンテンツ一覧表示の一部が非表示とされずに露出しているものとしてよい。
【００４４】
次に、例えば、ユーザが右手で携帯情報端末１を所持し、矢印１０１で示す親指でタッチ操作を行うものとした場合において、カテゴリアイコン１１４に『タップ』した親指をディスプレイ１００にタッチさせたまま、矢印Ａ方向へカテゴリ一覧表示上（例えば、図の破線Ｂで囲まれた範囲）をスライド操作させると、画面左側に表示された情報の一覧表示の一部である４つの画像が順次切替わっていくのである。
【００４５】
具体的には、図３（ｂ）に示すように、ユーザが親指を『サッカー』のカテゴリ１２１までスライドさせると、これまで表示されていた自動車等の画像から、図３（ｃ）に示すように『サッカー』のカテゴリに対応するコンテンツ情報に含まれる、例えばサッカーの試合状況等に関する画像に切替わる。例えば、図３（ｃ）に示すように、本画面に遷移前も表示されていた最新のサッカーの試合等に関する画像１１６ａを先頭に、新たに、その他のサッカーの試合等に関する画像２１６ａ、２１７ａ、２１８ａに切替わる。
【００４６】
これにより、ユーザはサッカーの試合結果等に関する情報の『ちら見』をすることができる。『ちら見』とは、本実施形態で言えば、例えば画像１１６ａ等がサッカーの試合の途中経過などを報じるニュースに関するものである場合、その様子をユーザが文字通り『ちらっと』見ることをいう。つまり、画像の『ちら見』により、コンテンツ情報の概略を掴むことができる。これにより、情報のどの一覧表示をするかを素早く判断することができる。
【００４７】
次に、図３（ｃ）に示すように、ユーザが親指を『サッカー』のカテゴリ１２１から『映画』のカテゴリ１２７へスライドさせると、これまで表示されていたサッカーの試合状況等に関する画像から、図３（ｄ）に示すように『映画』のカテゴリに対応するコンテンツ情報に含まれる、例えば映画のランキング情報等に関する画像３１１ａ、３１２ａ、３１３ａ、３１４ａに切替わる。
【００４８】
上述から、例えばユーザがサッカーの試合結果を見たいと思っているときは、未だ試合の途中経過が報じられている現時点での『サッカー』のカテゴリに含まれるコンテンツ情報は所望していないため『ちら見』にとどめ、次に『映画』のカテゴリに含まれるコンテンツ情報を見るべくスライド操作を行うことになる。つまり、ユーザはカテゴリ一覧表示上をスライド操作によりなぞるだけの簡単な操作で、各カテゴリに属するコンテンツ情報の概略を把握することができるので、情報の一覧性が高い。
【００４９】
次に、上述したカテゴリ一覧表示画面から、コンテンツ一覧表示画面へ再び遷移する一態様について、図４を参照して説明する。例えば、図４（ａ）に示すように、ユーザが、上述した図３（ｃ）における『サッカー』のカテゴリ１２１上をタッチしていた親指１０１をディスプレイ１００から離すとする。そうすると、図４（ｂ）に示すように、これまで表示されていたカテゴリ一覧表示はスクロールやフェードアウト等により画面上から消え去り（非表示となり）、サッカーの試合状況に関する画像１１６ａ等に加え、これらの画像にそれぞれ対応する文書情報１１６ｂ等を合わせたサッカーに関するコンテンツ情報１１６等が一覧表示される。
【００５０】
なお、上記に限らず、属性一覧から、コンテンツ一覧に指を滑らせると、属性一覧が隠れる構成としてもよい。具体的には、例えばカテゴリ上でタッチしていた親指等をディスプレイ１００にタッチしたまま、コンテンツ画像が表示されている縮小表示領域まで指をスライドさせることにより、カテゴリ一覧表示を非表示とするものである。また、例えばカテゴリ一覧の上で右手の親指を滑らせて、特定の属性を選び、そのままコンテンツ一覧の上を左手の親指でタッチすると、属性一覧が隠れる構成としてもよい。これにより、携帯情報端末を両手で所持して使用する使用態様におけるユーザの操作性を向上させることができる。
【００５１】
例えば、コンテンツ情報１１６がサッカーの試合結果を示す情報であるとしたとき、ユーザはまずカテゴリ一覧表示が表示されたままの状態で表示されていた画像１１６ａの『ちら見』により試合が終了していると判断する。このとき、ユーザが指を離すと、カテゴリ一覧表示が消えて画像１１６ａに対応する文書情報１１６ｂが表示されるので、ユーザはサッカーの試合結果に関する詳細記事を閲覧することができる。
【００５２】
次に、本発明の実施形態の携帯情報端末１における他の表示画面例について図５を参照して説明する。上述した実施形態においては、ユーザが右手で携帯情報端末を操作する場合の態様を説明したが、本発明はこれに限定されず、ユーザが左手で携帯情報端末を操作する場合にも対応できるものである（図５（ａ）参照）。また、上述した実施形態においては、表示画面を縦長の状態で閲覧する場合の態様を説明したが、本発明はこれに限定されず、表示画面を横長の状態で閲覧する場合にも対応できるものである（図５（ｂ）参照）。
【００５３】
例えば、ユーザが左手で携帯情報端末１を操作する場合、図５（ａ）のディスプレイ５００の表示画面に示すように、画面の左上に配されたカテゴリアイコン５１４を『タップ』などの操作により選択すると画面の左側からカテゴリ一覧表示が出現する。そして、ユーザがカテゴリアイコン５１４にタッチした親指５０１をディスプレイ５００上にタッチしたまま、矢印Ｃ方向にカテゴリ一覧表示上（例えば、図の破線Ｄで囲まれた範囲）をスライド操作することにより、画面右側に表示された４つのコンテンツ画像が順次切替わるのである。
【００５４】
また、例えば、ユーザが表示画面を横長の状態で携帯情報端末１を操作する場合、図５（ｂ）のディスプレイ６００の表示画面に示すように、画面の右上に配されたカテゴリアイコン６１４を『タップ』などの操作により選択すると画面の右側からカテゴリ一覧表示が出現する。そして、ユーザがカテゴリアイコン６１４にタッチした親指６０１をディスプレイ６００上にタッチしたまま、矢印Ｅ方向にカテゴリ一覧表示上（例えば、図の破線Ｆで囲まれた範囲）をスライド操作することにより、画面左側に表示された３つのコンテンツ画像が順次切替わるのである。
【００５５】
なお、横長の状態で携帯情報端末１を操作する場合は、ユーザは両手で端末を所持することもあり、この場合に対応して、例えばカテゴリアイコンを画面上部両側に、上述したアイコン形式のカテゴリ一覧表示を画面両側に配して、左右どちらの指でもカテゴリ一覧上をスライド操作しながら、各カテゴリに属するコンテンツ画像を切替えるようにしてもよい。
【００５６】
次に、コンテンツ表示画面から関連情報を表示する画面へ遷移する一態様について、図６を参照して説明する。図６（ａ）は、コンテンツ表示画面へ遷移する前のコンテンツ一覧表示画面を表し、図６（ｂ）は、関連情報を表示する画面へ遷移する前のコンテンツ表示画面を表し、図６（ｃ）は遷移後のコンテンツ表示画面を表している。
【００５７】
図６（ａ）において、ユーザはコンテンツ画像を表示する縮小領域に指をスライドさせ、カテゴリ一覧を非表示とした後、さらに詳細に表示させたいコンテンツ一覧の上に指を滑らせて、ディスプレイ１００から指を離すと、所望のコンテンツ情報の詳細が開く（図６（ｂ）参照）。また、上述した携帯情報端末を両手で所持して使用する使用態様の場合は、ディスプレイ１００にタッチしていた左手の親指をそのままコンテンツ一覧の上に滑らせて、そこでディスプレイ１００から指を離すと、コンテンツの詳細が開く（図６（ｂ）参照）。
【００５８】
図６（ｂ）に表すように、ユーザが『タップ』操作により、例えば『買いたい』アイコン１３７を選択すると、図６（ｃ）に表すように、コンテンツ情報１３２の文書情報１３２ｂに重畳するように、コンテンツ情報１３２に関連する商品、例えばサッカー選手が身に着けるユニフォームのネット販売サービスを提供するｗｅｂショッピングサイト１４１を表示することができる。ｗｅｂショッピングサイト１４１表示においては、例えば、商品であるユニフォームの画像１４１ａや商品の価格情報１４１ｂ、購入する商品を決定する『カートに入れる』アイコン１４１ｃが含まれる。これにより、ユーザはコンテンツ情報を見ながら、これに関連する関連情報を容易に閲覧することができる。
【００５９】
次に、設定画面へ遷移する動作について、図７を参照して説明する。図７（ａ）は、遷移前のコンテンツ一覧表示画面を表し、図７（ｂ）は遷移後に表示される設定画面を表している。図７（ａ）に表すように、ユーザが『タップ』操作により、設定アイコン１１３を選択すると、図７（ｂ）に表すように設定画面に遷移する。設定画面としては、例えば本実施形態の携帯情報端末１の基本設定画面１５１、興味度を設定する興味設定画面１５２、ＳＮＳに関する設定を行うＳＮＳ設定画面１５３などがある。
【００６０】
基本設定画面１５１、興味設定画面１５２、ＳＮＳ設定画面１５３は、一度に表示されるわけではなく、ユーザの操作により、画面上に出現したり、あるいは画面上に表示されなくなったりして、個別に表示される。例えば、ユーザが『ドラッグ』や『フリック』操作により、例えば画面上の右から左へ指を滑らせるようにスライド操作すると、それまで表示されていた基本設定画面１５１から興味設定画面１５２やＳＮＳ設定画面１５３が表示される。これにより、ユーザは表示画面の制約がある携帯情報端末においても、各種設定画面を速やかに確認することができる。
【００６１】
基本設定画面１５１には、例えば、パーソナルコンピュータ等と自動的に同期を行うためのＰＣ自動同期アイコン１５１ａ、目覚まし時計の設定アイコン１５１ｂ、ＳＮＳへのログインのためのアイコン１５１ｃが表示されている。なお、一例であり、これらに限定されるものでないことは言うまでもない。
【００６２】
興味設定画面１５２は、予めユーザが、自分が何に一番興味があるのかを意図的に選択するための設定画面であり、例えば、携帯情報端末を入手した初期に設定するための画面である。ここでは、『誠治動向』『経済動向』『国内ニュース』『サイエンス』『テクノロジー』『海外ニュース』の各カテゴリが表示されているが、一例であり、これらに限定されるものではない。また、ユーザの『フリック』操作によりカテゴリ短冊群を上下にスクロールさせて、画面に表示されていないカテゴリを表示させることができる。興味度の設定については、例えば、興味度に応じて所定の濃さの色を容易しておき、ユーザが自分の興味に応じて各色を各カテゴリに当てはめるように選択する処理により行われる。
【００６３】
ＳＮＳ設定画面１５３は、各ＳＮＳを閲覧するための各種設定を行うための画面である。例えば『Facebook』において、ユーザがタイムラインに表示させたい、当該『Facebook』を利用する他のユーザを絞り込むなどの設定がある。
【００６４】
次に、本実施形態の携帯情報端末１における表示制御手順の一例について、図８を参照して説明する。なお、既に上述した制御に関する説明は省略する。まず、ユーザによる、初期画面のインターネット接続アイコン１０５に対する『タップ』操作により、携帯情報端末１は、インターネットを介してコンテンツ情報を取得する（ステップＳ１）。
【００６５】
そして、次に、表示制御部４０により、ディスプレイ１００にコンテンツ一覧表示画面が表示される（ステップＳ２）。次に、ユーザによる、コンテンツ一覧表示画面右上に配されたカテゴリアイコン１１４に対する『タップ』操作を受けて、表示制御部４０により、ディスプレイ１００にカテゴリ一覧表示が出現したカテゴリ一覧表示画面が表示される（ステップＳ３）。
【００６６】
次に、ユーザによるカテゴリ一覧表示上に対するスライド操作を受けて、表示制御部４０により、各カテゴリに対応する画像へ切替表示される（ステップＳ４）。そして、ユーザによる所望のカテゴリ上における指を離す操作（非接触）を受けて、表示制御部４０により、所望のカテゴリに属するコンテンツ情報を一覧表示する（ステップＳ５）。
【００６７】
以上説明してきたように、本発明によれば、複数のコンテンツ情報とコンテンツ情報の属性を示す属性情報とを一覧表示する表示手段と、表示手段の所定の領域への物体の接触及び非接触を検知する検知手段と、検知手段により検知された表示手段の所定の領域への物体の接触または非接触に基づいて、表示手段に一覧表示される複数のコンテンツ情報が有すべき属性の選択の開始と終了とを判断する属性選択判断手段と、属性選択判断手段による属性選択の開始または終了の判断に基づいて、表示手段における表示を制御する表示制御手段とを備え、属性選択判断手段は、表示手段において属性情報一覧が表示される属性情報一覧表示領域への物体の接触が検知されると、属性選択の開始と判断するとともに、属性情報一覧表示領域への物体の非接触が検知され、または、属性情報一覧表示領域外の所定領域への物体の接触が検知されると、属性選択の終了と判断し、表示制御手段は、属性選択判断手段により属性選択の開始と判断されると、属性選択判断手段により属性選択の終了と判断されるまで、複数のコンテンツ情報のうち接触が検知されている属性情報に対応する属性を有する各コンテンツ情報の一部を一覧にした縮小一覧を表示手段に表示させるとともに、属性選択判断手段により属性選択の終了と判断されると、直前に接触が検知された属性情報に対応する属性を有するコンテンツ情報の縮小一覧に、縮小一覧に含まれない各コンテンツ情報の他の一部を付加した拡大一覧を表示手段に表示させることにより、所望の情報を探す際に、属性に対応する複数のアイコンに指を滑らせて一覧表示の一部の表示を切り替えながら閲覧することができ、所望する情報を一つの操作ですることできるため、操作の手間を省くことができる。また、一覧表示自体は画面全体をつかうことができ、表示された情報を容易に閲覧する情報の一覧性が高い携帯情報端末を提供することが可能となるのである。
【００６８】
なお、上述する各実施の形態は、本発明の好適な実施の形態であり、本発明の要旨を逸脱しない範囲内において種々変更実施が可能である。例えば、上記機能は、アセンブラ、Ｃ言語などのプログラミング言語などで記述されたコンピュータ実行可能なプログラムにより実現することができる。
【符号の説明】
【００６９】
１    携帯情報端末
１０    接触検知部
２０    制御部
３０    属性選択判断部
４０    表示制御部
５０    記憶部
６０    表示部
１００    ディスプレイ
１０５    インターネット接続アイコン
１１４    カテゴリアイコン
【図１】
2014149650.tif 000003
【図２】
2014149650.tif 000004
【図３】
2014149650.tif 000005
【図４】
2014149650.tif 000006
【図５】
2014149650.tif 000007
【図６】
2014149650.tif 000008
【図７】
2014149650.tif 000009
【図８】
2014149650.tif 000010